(57)【要約】      （修正有）【課題】外部渡り通路用目地装置の左右の手摺部分より落下する雨水が、下部の渡り通路内へ浸入するのを確実に防止する外部渡り通路用雨水浸入防止装置。【解決手段】上下部位に複数個配置された外部渡り通路において、渡り通路８の両端部寄りの底面躯体あるいは底面よりの側壁躯体に固定された一対の支持レール１５と、この一対の支持レール１５にスライド移動可能に支持された先端部が一方の建物の外部通路の外壁と当接可能で上部の外部渡り通路用目地装置の左右の手摺１０から落下する雨水を渡り通路内へ浸入するのを防止する一対のスライド雨水浸入防止部材と、この一対のスライド雨水浸入防止部材の先端部を常時一方の建物の外部通路の外壁と当接するように付勢する付勢機構１７とで外部渡り通路用雨水浸入防止装置を構成する。【選択図】  図４
2008308875.tif 000002
【特許請求の範囲】
【請求項１】
一方の建物の外部通路の外壁に形成された渡り通路用開口部と、この渡り通路用開口部と目地部を介して連通するように、他方の建物より突出するように設けられた渡り通路と、この渡り通路と前記渡り通路用開口部とを接続する床用目地プレートおよび左右の手摺を備える外部渡り通路用目地装置とからなる上下部位に複数個配置された外部渡り通路において、前記渡り通路の両端部寄りの底面躯体あるいは底面よりの側壁躯体に固定された一対の支持レールと、この一対の支持レールにスライド移動可能に支持された先端部が前記一方の建物の外部通路の外壁と当接可能で、上部の外部渡り通路用目地装置の左右の手摺から落下する雨水を渡り通路内へ浸入するのを防止する一対のスライド雨水浸入防止部材と、この一対のスライド雨水浸入防止部材の先端部を常時一方の建物の外部通路の外壁と当接するように付勢する付勢機構とからなることを特徴とする外部渡り通路用雨水浸入防止装置。  
【請求項２】
一対のスライド雨水浸入防止部材は一対の支持レールにスライド移動可能に支持された一対のスライド移動樋と、この一対のスライド移動樋の上部外側壁に取付けられた上部の左右の手摺から落下する雨水を、該スライド移動樋内へ導く傾斜面の雨水ガイド板と、前記一対のスライド移動樋の上部内側壁に取付けられた、雨水が渡り通路内へ浸入するのを阻止する傾斜面の弾性材製の内側雨水浸入防止板とからなることを特徴とする請求項1記載の外部渡り通路用雨水浸入防止装置。
【請求項３】
一対のスライド雨水浸入防止部材は一対の支持レールにスライド移動可能に支持された一対のスライド移動体と、このスライド移動体に回動可能に取付けられた上部の左右の手摺から落下する雨水を外部へ排出することができる傾斜面の雨水ガイド板とからなることを特徴とする請求項1記載の外部渡り通路用雨水浸入防止装置。
【発明の詳細な説明】
【技術分野】
【０００１】
本発明は左右の建物を連通する外部渡り通路の上部の左右の手摺から落下する雨水が渡り通路内へ浸入するのを防止することができる外部渡り通路用雨水浸入防止装置に関する。
【背景技術】
【０００２】
従来の外部渡り通路は地震時に、左右の建物が異なる左右方向や前後方向に揺れ動いても、その揺れ動きを吸収できるように目地部を設け、該目地部を床目地プレートおよび左右の手摺を備えた外部渡り通路用目地装置が設けられている。
【０００３】
このように構成された外部渡り通路は安全に通行することができるが、雨が降った場合、外部渡り通路の外部渡り通路用目地装置の左右の手摺部分より、下部位置の左右の手摺部分へ雨水が落下し、飛び跳ねて該部を通行している人にかかるという欠点があった。
【特許文献１】特許第３１５４９５７号
【発明の開示】
【発明が解決しようとする課題】
【０００４】
本発明は以上のような従来の欠点に鑑み、外部渡り通路の上部の外部渡り通路用目地装置の左右の手摺部分より落下する雨水が、下部の渡り通路内へ浸入するのを確実に防止して、濡れたりすることなく通行することができる外部渡り通路用雨水浸入防止装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の外部通路の外壁に形成された渡り通路用開口部と、この渡り通路用開口部と目地部を介して連通するように、他方の建物より突出するように設けられた渡り通路と、この渡り通路と前記渡り通路用開口部とを接続する床用目地プレートおよび左右の手摺を備える外部渡り通路用目地装置とからなる上下部位に複数個配置された外部渡り通路において、前記渡り通路の両端部寄りの底面躯体あるいは底面よりの側壁躯体に固定された一対の支持レールと、この一対の支持レールにスライド移動可能に支持された先端部が前記一方の建物の外部通路の外壁と当接可能で、上部の外部渡り通路用目地装置の左右の手摺から落下する雨水を渡り通路内へ浸入するのを防止する一対のスライド雨水浸入防止部材と、この一対のスライド雨水浸入防止部材の先端部を常時一方の建物の外部通路の外壁と当接するように付勢する付勢機構とで外部渡り通路用雨水浸入防止装置を構成している。
【発明の効果】
【０００７】
以上の説明から明らかなように、本発明にあっては次に列挙する効果が得られる。
【０００８】
（１）一方の建物の外部通路の外壁に形成された渡り通路用開口部と、この渡り通路用開口部と目地部を介して連通するように、他方の建物より突出するように設けられた渡り通路と、この渡り通路と前記渡り通路用開口部とを接続する床用目地プレートおよび左右の手摺を備える外部渡り通路用目地装置とからなる上下部位に複数個配置された外部渡り通路において、前記渡り通路の両端部寄りの底面躯体あるいは底面よりの側壁躯体に固定された一対の支持レールと、この一対の支持レールにスライド移動可能に支持された先端部が前記一方の建物の外部通路の外壁と当接可能で、上部の外部渡り通路用目地装置の左右の手摺から落下する雨水を渡り通路内へ浸入するのを防止する一対のスライド雨水浸入防止部材と、この一対のスライド雨水浸入防止部材の先端部を常時一方の建物の外部通路の外壁と当接するように付勢する付勢機構とで構成されているので、上部の外部渡り通路の外部渡り通路用目地装置の左右の手摺部分より雨水が落下しても、スライド雨水浸入防止部材によって、渡り通路内へ雨水が浸入するのを防止することができる。
したがって、渡り通路の通過時に落下した雨水によって濡れたりするのを確実に防止することができる。
【０００９】
（２）前記（１）によって、スライド雨水浸入防止部材を、常時一方の建物の外部通路の外壁と当接するように付勢機構で付勢されているので、確実に左右の手摺部分にスライド雨水浸入防止部材を位置させることができる。
したがって、確実に上部の左右の手摺部分より落下する雨水をスライド雨水浸入防止部材で受けることができる。
【００１０】
（３）前記（１）によって、地震によって左右の建物が異なる前後方向に揺れ動いた場合、スライド雨水浸入防止部材を付勢機構の付勢力によって、支持レールに沿ってスライド移動し、その揺れ動きを吸収して、損傷するのを確実に防止することができる。
【００１１】
（４）請求項２も前記（１）〜（３）と同様な効果が得られるとともに、上部にたれ落ちる雨水をスライド移動樋に集めて処理することができる。
【００１２】
（５）請求項３も前記（１）〜（３）と同様な効果が得られるとともに、上部にたれ落ちる雨水を雨水ガイド板によって外部へ排水することができる。
【発明を実施するための最良の形態】
【００１３】
以下、図面に示す本発明を実施するための最良の形態により、本発明を詳細に説明する。
【００１４】
図１ないし図１１に示す本発明を実施するための最良の第１の形態において、１は一方の建物２の外部通路３の外壁４に形成された渡り通路用開口部５と、この渡り通路用開口部５と目地部６を介して連通するように、他方の建物７より突出するように設けられた渡り通路８と、この渡り通路８と前記渡り通路用開口部５とを接続する床用目地プレート９および左右の手摺１０、１０を備える外部渡り通路用目地装置１１とからなる外部渡り通路１２の外部渡り通路用目地装置１１の上部位置の、前記左右の手摺１０、１０より落下する雨水が下部位置の床用目地プレート９を含む渡り通路８内へ浸入するのを阻止する本発明の外部渡り通路用雨水浸入防止装置で、この外部渡り通路用雨水浸入防止装置１は前記渡り通路８の両端部寄りの底面よりの側壁躯体１３に複数本のアンカーボルト１４等で固定された一対の支持レール１５、１５と、この一対の支持レール１５、１５にスライド移動可能に支持された先端部が前記一方の建物２の外部通路３の外壁４と当接可能で、上部の外部渡り通路用目地装置１１の左右の手摺１０、１０から落下する雨水を渡り通路８内へ浸入するのを防止する一対のスライド雨水浸入防止部材１６、１６と、この一対のスライド雨水浸入防止部材１６、１６を常時一方の建物２の外部通路３の外壁４と当接するように付勢する付勢機構１７、１７とで構成されている。
【００１５】
前記一対の支持レール１５、１５は図５に示すように、クランク状に曲げられた取付け板２６と、この取付け板２６の先端部に固定された上部先端部が、ほぼ４５度内側へ傾斜した傾斜面１９を有するほぼチャンネル状のレール２０とで構成されている。
【００１６】
前記一対のスライド雨水浸入防止部材１６、１６は前記一対の支持レール１５、１５のレール２０、２０にスベリ材２１、２１を介してスライド移動可能に取付けられた前記傾斜面１９に対応した傾斜面２２を有するスライドレール２３と、このスライドレール２３の傾斜面２２の下部位置に複数個のヒンジ部材２４を介して回動可能に取付けられ、常時は上部左右の手摺１０、１０より落下した雨水を外部へ排出できるように傾斜面２５となるように位置し、目地部６が狭くなると、前記渡り通路８側の側壁躯体１３、１３によって内側方向、すなわち垂直状態となるように回動させることができる傾斜切欠部２６を有するゴム材製の雨水ガイド板２７とで構成されている。
【００１７】
前記付勢機構１７、１７は一端部が前記一対のスライド雨水浸入防止部材１６、１６のスライドレール２３、２３の後端部に取付けられ、他端部が前記一方の建物２側の他方の建物７の躯体７ａ、７ａに固定された引張りスプリングで構成されている。
【００１８】
上記構成の外部渡り通路用雨水浸入防止装置１は、通常時には図１ないし図３に示すように、外部渡り通路用目地装置１１の左右の手摺１０、１０に付着した雨水は、該左右の手摺１０、１０を伝わって下方へ落下し、該下方に位置している雨水ガイド板２７、２７上へ落下し、該部より外方へ排出される。
【００１９】
目地部６が狭くなると、一対の支持レール１５、１５に沿って、スライドレール２３、２３がスライド移動するとともに、先端部が外方へ突出している雨水ガイド板２７、２７の傾斜切欠部２６、２６が渡り通路８側の側壁躯体１３、１３と当接し、雨水ガイド板２７、２７をほぼ垂直となるようにヒンジ部材２４の付勢力に抗して回動させて、損傷するのを防止する。
この場合、上部からの雨水の浸入は防止できなくなるが、地震はたまにしかなく、かつ、あってもわずかな時間であるので問題はなく、地震後は自動的に元の状態に戻る。
[発明を実施するための異なる形態]
【００２０】
次に、図１２ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１２ないし図１７に示す本発明を実施するための第２の形態において、前記本発明を実施するための最良の第１の形態と主に異なる点は、アングル状の取付け板１８Ａと、この取付け板１８Ａの先端部に固定された四角柱状のレール２０Ａとからなる一対の支持レール１５Ａ、１５Ａと、この一対の支持レール１５Ａ、１５Ａのレール２０Ａ、２０Ａにスベリ材２１、２１を介してスライド移動するほぼ中央上面に切り欠部２８が形成されたスライドレール２３Ａと、このスライドレール２３Ａの上部位置に複数個のヒンジ部材２４を介して回動可能に取付けられた雨水ガイド板２７Ａとからなる一対のスライド雨水浸入防止部材１６Ａ、１６Ａとを用いた点で、このような一対の支持レール１５Ａ、１５Ａと一対のスライド雨水浸入防止部材１６Ａ、１６Ａを用いて構成した外部渡り通路用雨水浸入防止装置１Ａにしても、前記本発明を実施するための最良の第１の形態と同様な作用効果が得られる。
【００２２】
図１８ないし図２３に示す本発明を実施するための第３の形態において、前記本発明を実施するための最良の第１の形態と主に異なる点は、渡り通路８の両端部寄りの底面よりの側壁躯体１３、１３に固定された上部開口するチャンネル状の一対の支持レール１５Ｂ、１５Ｂと、この一対の支持レール１５Ｂ、１５Ｂにスベリ材２１、２１を介してスライド移動可能な上部開口のチャンネル状の一対のスライド移動樋２９、この一対のスライド移動樋２９の上部側壁２９ａに複数個のヒンジ部材２４を介して取付けられた上部位置の左右の手摺１０、１０から落下する雨水を、該スライド移動樋２９内へ導く、傾斜面３０の回動可能な雨水ガイド片３１、前記一対のスライド移動樋２９の上部内側壁２９ｂに取付けられた、雨水が渡り通路８内へ浸入するのを阻止する傾斜面３２の弾性材製の内側雨水浸入防止板３３とからなる一対のスライド雨水浸入防止部材１６Ｂ、１６Ｂとを用いた点で、このような一対の支持レール１５Ｂ、１５Ｂと、一対のスライド雨水浸入防止部材１６Ｂ、１６Ｂを用いて構成した外部渡り通路用雨水浸入防止装置１Ｂにしても、前記本発明を実施するための最良の第１の形態と同様な作用効果が得られる。
【００２３】
図２４ないし図２７に示す本発明を実施するための第４の形態において、前記本発明を実施するための最良の第１の形態と主に異なる点は、取付け板１８の先端部に上部が開口するチャンネル状のレール２０Ｂを固定した一対の支持レール１５Ｃ、１５Ｃと、この一対の支持レール１５Ｃ、１５Ｃのレール２０Ｂ、２０Ｂにスベリ材２１、２１を介して、前記第３の実施の形態で用いている一対のスライド雨水浸入防止部材１６Ｂ、１６Ｂを用いた点で、このような一対の支持レール１５Ｃ、１５Ｃと一対のスライド雨水浸入防止部材１６Ｂ、１６Ｂを用いて構成した外部渡り通路用雨水浸入防止装置１Ｃにしても、前記本発明を実施するための最良の第１の形態と同様な作用効果が得られる。
【産業上の利用可能性】
【００２４】
本発明は外部渡り通路用雨水浸入防止装置を製造する産業で利用される。
【図面の簡単な説明】
【００２５】
【図１】本発明を実施するための最良の第１の形態の正面図。
【図２】本発明を実施するための最良の第１の形態の平面図。
【図３】図２の３−３線に沿う拡大断面図。
【図４】図２の４−４線に沿う断面図。
【図５】本発明を実施するための最良の第１の形態の支持レールの平面図。
【図６】本発明を実施するための最良の第１の形態の支持レールの側面図。
【図７】本発明を実施するための最良の第１の形態のスライド雨水浸入防止部材の平面図。
【図８】本発明を実施するための最良の第１の形態のスライド雨水浸入防止部材の側面図。
【図９】本発明を実施するための最良の第１の形態の付勢機構の説明図。
【図１０】本発明を実施するための最良の第１の形態の目地部が狭くなった状態の正面図。
【図１１】図１０の１１−１１線に沿う拡大断面図。
【図１２】本発明を実施するための第２の形態の正面図。
【図１３】図１２の１３−１３線に沿う拡大断面図。
【図１４】本発明を実施するための第２の形態の支持レールの平面図。
【図１５】本発明を実施するための第２の形態の支持レールの側面図。
【図１６】本発明を実施するための第２の形態のスライド雨水浸入防止部材の平面図。
【図１７】本発明を実施するための第２の形態のスライド雨水浸入防止部材の側面図。
【図１８】本発明を実施するための第３の形態の正面図。
【図１９】図１８の１９−１９線に沿う拡大断面図。
【図２０】本発明を実施するための第３の形態の支持レールの平面図。
【図２１】本発明を実施するための第３の形態の支持レールの側面図。
【図２２】本発明を実施するための第３の形態のスライド雨水浸入防止部材の平面図。
【図２３】本発明を実施するための第３の形態のスライド雨水浸入防止部材の側面図。
【図２４】本発明を実施するための第４の形態の正面図。
【図２５】図２４の２５−２５線に沿う拡大断面図。
【図２６】本発明を実施するための第４の形態の支持レールの平面図。
【図２７】本発明を実施するための第４の形態の支持レールの側面図。
【符号の説明】
【００２６】
１、１Ａ、１Ｂ、１Ｃ：外部渡り通路用雨水浸入防止装置、
２：一方の建物、                            ３：外部通路、
４：外壁、                                    ５：渡り通路用開口部、    
６：目地部、                                                ７：他方の建物、
８：渡り通路、                                ９：床用目地プレート、
１０：手摺、                                                １１：外部渡り通路用目地装置、
１２：外部渡り通路、                    １３：側壁躯体、
１４：アンカーボルト、
１５、１５Ａ、１５Ｂ：支持レール、
１６、１６Ａ、１６Ｂ：スライド雨水浸入防止部材、
１７：付勢機構、                            １８、１８Ａ：取付け板、
１９：傾斜面、                                ２０、２０Ａ、２０Ｂ：レール、
２１：スベリ材、                            ２２：傾斜面、
２３、２３Ａ：スライドレール、            ２４：ヒンジ部材、
２５：傾斜面、                                ２６：傾斜切欠部、
２７、２７Ａ：雨水ガイド板、    ２８：切り欠部、
２９：スライド移動樋、                ３０：傾斜面、
３１：雨水ガイド片、                    ３２：傾斜面、
３３：内側雨水浸入防止板。
【図１】
2008308875.tif 000003
【図２】
2008308875.tif 000004
【図３】
2008308875.tif 000005
【図４】
2008308875.tif 000006
【図５】
2008308875.tif 000007
【図６】
2008308875.tif 000008
【図７】
2008308875.tif 000009
【図８】
2008308875.tif 000010
【図９】
2008308875.tif 000011
【図１０】
2008308875.tif 000012
【図１１】
2008308875.tif 000013
【図１２】
2008308875.tif 000014
【図１３】
2008308875.tif 000015
【図１４】
2008308875.tif 000016
【図１５】
2008308875.tif 000017
【図１６】
2008308875.tif 000018
【図１７】
2008308875.tif 000019
【図１８】
2008308875.tif 000020
【図１９】
2008308875.tif 000021
【図２０】
2008308875.tif 000022
【図２１】
2008308875.tif 000023
【図２２】
2008308875.tif 000024
【図２３】
2008308875.tif 000025
【図２４】
2008308875.tif 000026
【図２５】
2008308875.tif 000027
【図２６】
2008308875.tif 000028
【図２７】
2008308875.tif 000029